(57)【要約】【課題】光沢処理かマット処理かの何れか一方を行うことを前提とした場合に、画像の特徴に応じて行うべき何れか一方の処理を自動判定できる画像処理装置を提供する。【解決手段】光沢処理とマット処理とを選択的に行うことができる画像形成装置（１４，１５）に対して指示信号を出力する画像処理装置（１２）であって、入力画像データの画像を印刷媒体に形成して出力するにあたって、予め定められた条件を満たすと判断するとマット処理を選択し、前記条件を満たさないと判断すると光沢処理を選択し、何れか選択した処理を行うよう命じる指示信号を出力する処理決定部（２８，２９，３０，３１，３２）を有する。【選択図】図１
2015157407.tif 000002
【特許請求の範囲】
【請求項１】
透明材でコーティングされた状態の印刷物を得るコーティング処理としての光沢処理とマット処理とを選択的に行うことができる画像形成装置に対して指示信号を出力する画像処理装置であって、
入力画像データの画像を印刷媒体に形成して出力するにあたって、前記コーティング処理を行う場合に、予め定められた条件を満たすと判断するとマット処理を選択し、予め定められた条件を満たさないと判断すると光沢処理を選択し、何れか選択した処理を行うよう命じる指示信号を出力する処理決定部を有することを特徴とする画像処理装置。
【請求項２】
前記予め定められた条件は、入力画像データの画像の特徴に応じて複数定められており、前記処理決定部は、複数のうちの少なくとも１つを満たすと判断すると、マット処理を選択することを特徴とする請求項１に記載の画像処理装置。
【請求項３】
前記処理決定部は、前記入力画像データの画像が、暗い画像となる高濃度領域が画像全体の一定以上の割合を占める高濃度画像であるか否かを判定する高濃度画像判定部を備え、前記処理決定部は、高濃度画像判定部において、前記入力画像データの画像が高濃度画像であると判定された場合に、複数ある条件のうちの少なくとも１つを満たすと判断することを特徴とする請求項２に記載の画像処理装置。
【請求項４】
前記処理決定部は、前記入力画像データの画像が高周波成分を一定以上含む高周波画像であるか否かを判定する高周波画像判定部を備え、
前記処理決定部は、前記高周波画像判定部において、前記入力画像データの画像が高周波画像であると判定された場合に、複数ある条件のうちの少なくとも１つを満たすと判断することを特徴とする請求項２又は３に記載の画像処理装置。
【請求項５】
前記処理決定部は、前記入力画像データの画像が女性の顔を含むか否かを判定する顔検出部を備え、
前記処理決定部は、前記顔検出部において、前記入力画像データの画像が女性の顔を含むと判定された場合に、複数ある条件のうちの少なくとも１つを満たすと判断することを特徴とする請求項２から４の何れか１項に記載の画像処理装置。
【請求項６】
前記処理決定部は、前記入力画像データの画像が絹目加工された写真の画像であるか否かを判定する絹目写真判定部を備え、
前記処理決定部は、前記絹目写真判定部において、前記入力画像データの画像が絹目加工された写真の画像であると判定された場合に、複数ある条件のうちの少なくとも１つを満たすと判断することを特徴とする請求項２から５の何れか１項に記載の画像処理装置。
【請求項７】
前記予め定められた条件は、入力画像データの画像のサイズに応じて定められており、前記処理決定部は、前記入力画像データの画像が予め定められた特定サイズの画像であるか否かを判定するサイズ判定部を備え、
前記処理決定部は、前記サイズ判定部において、前記入力画像データの画像が特定サイズの画像であると判定された場合に、マット処理を選択することを特徴とする請求項１又は２に記載の画像処理装置。
【請求項８】
前記入力画像データの画像の種別を判定する画像種別判定部を備え、
前記処理決定部は、前記画像種別判定部において、前記入力画像データの画像が写真の画像を含む画像であると判定された場合に、コーティング処理を行うことを決定し、コーティング処理を行うよう指示する指示信号を出力することを特徴とする請求項１，２，３，４、５又は７に記載の画像処理装置。
【請求項９】
請求項１から８の何れかに１項に記載の画像処理装置と、
印刷媒体が透明材でコーティングされた状態の印刷物を得るコーティング処理としての光沢処理とマット処理とを選択的に行うことができる画像形成装置と、を含む画像形成システム。
【請求項１０】
請求項１から８の何れかに１項に記載の画像処理装置を動作させるための画像処理プログラムであって、コンピュータを上記の各部として機能させるための画像処理プログラムを、コンピュータ読み取り可能に格納したことを特徴とする記録媒体。
【発明の詳細な説明】
【技術分野】
【０００１】
本発明は、用紙等の印刷媒体に画像を形成して印刷物として出力する画像形成装置等の画像処理装置に関し、より詳細には、光沢感のある印刷物を得ることできる光沢処理と光沢感を抑えた印刷物を得ることのできるマット処理とを選択的に実施できる画像形成システムの画像処理装置に関する。
【背景技術】
【０００２】
例えば、特許文献１には、コピージョブやプリントジョブにて印刷媒体に画像を形成し、これにラミネート加工を施して出力する画像形成装置が提案されている。ラミネート加工を施すことで、印刷物に見た目の高級感が付与され、耐水性や耐候性も向上する。
【０００３】
ラミネート加工では、透明フィルムに熱を加えて画像が形成された印刷媒体の表面に転写して該表面をコーティングする。このとき、フィルム全体に均一の温度で熱を加えると、フィルムの表面状態が滑らかで光沢のある仕上がりになる（光沢処理）。一方、温度を均一にせず、フィルムの位置によって細かく変更すると、表面状態が凹凸のあるマット調になり、光沢の少ない仕上がりになる（マット処理）。
【０００４】
また、インクジェット方式の画像形成装置では、ラミネート加工ではなく、使用する印刷媒体として、光沢処理を希望する場合は光沢紙を用い、マット処理を希望する場合はマット紙を用いる。光沢紙には、印刷媒体の表面に予め光沢を付与するためのコーティングが施されており、マット紙には、印刷媒体の表面に予め光沢を抑えるためのコーティングが施されている。光沢処理は、印刷物を銀塩写真のような光沢のある仕上がりにできるので、写真画像を出力する際に用いられることが多い。
【０００５】
以下、本明細書においては、透明材でコーティングされた状態の印刷物を得る処理をコーティング処理と称し、コーティング処理において光沢のある仕上がりにできる処理を光沢処理、コーティングにおいて光沢を抑えた仕上がりにできる処理をマット処理とする。
【０００６】
また、写真画像を出力する場合、光沢感やマット感の付与に加えて、マージンの無い４辺縁なし印刷を行うことで、見た目がさらに良くなる。例えば、特許文献２には、画像を印刷媒体よりも若干大きく拡大して印刷することで、マージンの無い４辺縁無印刷を行う画像読取装置が提案されている。
【先行技術文献】
【特許文献】
【０００７】
【特許文献１】特開２０１２−２０１０１３号公報
【特許文献２】国際公開第２００３/０２６２７７号パンフレット
【特許文献３】特開２００２−２３２７０８号公報
【特許文献４】特開平７−３１１８３３号公報
【特許文献５】特開２０１１−１４１７９９号公報
【特許文献６】第３８６１２９３号明細書
【発明の概要】
【発明が解決しようとする課題】
【０００８】
写真画像に限るものではないが、コーティング処理を施すにあたり、画像にはその特徴によって、マット処理を選択してマット調にした方が望ましいものと、光沢処理を行って光沢感を付与した方が望ましいものとがある。
【０００９】
しかしながら、上述のような従来技術は、光沢処理を行うかマット処理を行うかを、画像の特徴に応じて自動判定できる構成とはなっていない。そのため、光沢処理あるいはマット処理の何れか画像の特徴に応じた方の処理が施された印刷物を得るには、ユーザが１枚ずつ画像の特徴を確認して処理を選択するといった作業が必要となる。
【００１０】
本発明は、上記課題に鑑みなされたものであって、光沢処理かマット処理かの何れか一方を行うことを前提とした場合に、画像の特徴に応じて行うべき何れか一方の処理を自動判定できる画像処理装置、画像形成装置および記録媒体を提供することにある。
【課題を解決するための手段】
【００１１】
本発明の一態様に係る画像処理装置は、上記の課題を解決するために、透明材でコーティングされた状態の印刷物を得るコーティング処理としての光沢処理とマット処理とを選択的に行うことができる画像形成装置に対して指示信号を出力する画像処理装置であって、入力画像データの画像を印刷媒体に形成して出力するにあたって、前記コーティング処理を行う場合に、予め定められた条件を満たすと判断するとマット処理を選択し、予め定められた条件を満たさないと判断すると光沢処理を選択し、何れか選択した処理を行うよう命じる指示信号を出力する処理決定部を有することを特徴としている。
【００１２】
本発明の一態様に係る画像形成システムは、上記の課題を解決するために、本発明の一態様に係る画像処理装置と、印刷媒体が透明材でコーティングされた状態の印刷物を得るコーティング処理としての光沢処理とマット処理とを選択的に行うことができる画像形成装置と、を含むことを特徴としている。
【００１３】
本発明は、本発明の一態様に係る画像処理装置を動作させるための画像処理プログラムであって、コンピュータを上記の各部として機能させるための画像処理プログラムを、コンピュータ読み取り可能に格納したことを特徴とする記録媒体についてもその範疇とする。
【発明の効果】
【００１４】
本発明の一態様によれば、ユーザが１枚ずつ画像の特徴を確認して、マット処理か光沢処理かを選択するといった作業を行うことなく、光沢処理あるいはマット処理の何れか画像の特徴に応じた方の処理が施された印刷物を簡単に得ることができるという効果を奏する。
【図面の簡単な説明】
【００１５】
【図１】本発明の実施形態１に係る画像形成システムの構成を示すブロック図である。
【図２】上記画像形成システムにおけるラミネート加工部の処理機構を示す説明図である。
【図３】（ａ）は、上記ラミネート加工部におけるマット処理した印刷媒体表面の加工状態を模式的に示す図であり、（ｂ）はマット処理にてマット調の凹凸パターンを形成する際に、サーマルヘッドの各発熱素子へ加える電圧を模式的に示した図である。
【図４】上記画像形成システムにおける印刷処理の流れを示すフローチャートである。
【発明を実施するための形態】
【００１６】
〔実施の形態１〕
以下、本発明の実施の形態について、詳細に説明する。実施形態１では、ラミネート加工部を備えた画像形成システムに、本発明の一態様に係る画像処理装置が搭載された構成を例示する。
【００１７】
本実施形態の画像形成システムは、コピーモード・プリントモード・ファクシミリ送信モード・ファクシミリ受信モード・イメージ送信モードの中からいずれかのモードが選択されると、選択されたモードを実行するデジタルカラー複合機である。
【００１８】
コピーモード（複写モード）とは、画像データを読み込み（原稿を読み取って画像データを生成し）、この画像データ（入力画像データ）の画像を用紙に印刷するモードを意味する。また、プリントモードとは、デジタルカラー複合機に接続されているコンピュータから送られてくる画像データ（入力画像データ）の画像を用紙に印刷するモードを意味する。ファクシミリ送信モードとは、原稿を読み取って得られる画像データ（入力画像データ）を電話回線によって外部装置に送信する通常のファクシミリモードと、前記画像データをメールに添付してインターネットによって送信するインターネットファクシミリモードとを意味する。ファクシミリ受信モードとは、外部装置から画像データをファクシミリにて受信し、受信した画像データ（入力画像データ）の画像を用紙に印刷するモードを意味する。イメージ送信モードとは、原稿を読み取って生成した画像データ（入力画像データ）を電子メールに添付して指定されたアドレスへ送信するモード（scan to e-mailモード）、原稿を読み取って生成した画像データをユーザにより指定されたフォルダに送信するモード（scan to ftpモード）、原稿を読み取って生成した画像データを画像形成装置に装着されたＵＳＢメモリなどに送信するモード（scan to usbモード）を意味する。なお、本実施形態においては、画像処理の動作上から、ファクシミリ送信モードとイメージ送信モードとを上記のように分類している。
【００１９】
また、コピーモード・プリントモードが選択されている場合、利用者は、モノクロ画像を出力するモノクロモード，フルカラーの画像を出力するフルカラーモードのいずれかを選択できるようになっている。
【００２０】
＜画像形成システム１＞
画像形成システム１は、図１に示されるように、画像入力装置１１、画像処理装置１２、ＲＩＰ処理部１３、画像出力装置１４、ラミネート加工部１５、受信装置１６、送信装置１７、記憶装置１８、制御部１９を有している。図１は、本実施形態１に係る画像形成システムの構成を示すブロック図である。
【００２１】
画像入力装置１１は、コピーモード、ファクシミリ送信モード、イメージ送信モードにおいて、原稿を読み取り画像データを生成する画像読取手段である。より具体的に説明すると、画像入力装置１１は、ＣＣＤ（Charge Coupled Device）を備えたスキャナ部（不図示）を有し、原稿から反射してきた光を、ＲＧＢに色分解された電気信号（アナログの画像信号）に変換し、この電気信号を画像処理装置１２に入力するものである。画像入力装置１１は、上記のフルカラーモード，モノクロモードのいずれのモードが選択されている場合であっても、フルカラーにて原稿画像の読み取りを行う。
【００２２】
画像処理装置１２は、画像データ（画像信号）に対して画像処理を施す集積回路であり、ＡＳＩＣ（Application specific integrated circuit）から構成される。この画像処理装置１２は、図１に示すように、Ａ/Ｄ（アナログ/デジタル）変換部２１、シェーディング補正部２２、入力処理部２３、圧縮部２４、復号部２５、画像種別判定部２６、領域分離処理部、高濃度画像判定部２８、絹目写真判定部２９、高周波画像判定部３０、顔検出部３１、特定原稿サイズ判定部３２、画質調整部３３、色補正/黒生成部３４、フィルタ処理部３５、中間調生成部３６の各ブロックを有している。画像処理装置１２に含まれる各ブロックの処理内容については後述する。
【００２３】
画像処理装置１２は、コピーモード、ファクシミリ送信モード、イメージ送信モードにおいて、画像入力装置１１から送られてきた画像データに画像処理を行い、プリントモードにおいて、ＲＩＰ処理部１３から送られてきた画像データに画像処理を行い、ファクシミリ受信モードにおいて、外部装置から受信した画像データに画像処理を行うようになっている。また、画像処理装置１２は、コピーモード、プリントモード、ファクシミリ受信モードにおいて、画像処理を施した画像データを画像出力装置１４に送信し、ファクシミリ送信モードにおいて、画像処理を施した画像データを送信装置１７に送信するようになっている。また、画像処理装置１２は、イメージ送信モードのscan to e-mailモードにおいて、画像処理を施した画像データをメール処理部（不図示）に送信し、scan to ftpモードにおいて、画像処理を施した画像データを所定のフォルダに送信し、scan to usbモードにおいて、画像処理を施した画像データを所定のＵＳＢメモリに送信するようになっている。
【００２４】
ＲＩＰ処理部１３は、プリンタドライバ（不図示）から送られてきたＰＤＬ（Page Description Language:ページ記述言語）データを、ＰＤＬ言語仕様に従って解釈し、ＲＧＢ信号からなる連続階調ビットマップ画像データに変換するＲＩＰ（Raster Image Processor）処理を行う。ＲＧＢ信号は画像種別判定部２６に送信される。
【００２５】
画像出力装置１４は、画像処理装置１２から送られてきた画像データの画像を印刷媒体（例えば紙等）上に印刷（形成）するものであり、電子写真方式のカラープリンタや、インクジェット方式を用いたカラープリンタ、昇華型のカラープリンタを用いることもできる。本実施形態においての「印刷」とは、プリントモードにおける印刷、コピーモードでの印刷、ファクシミリ受信モードでの印刷のいずれかを意味する。
【００２６】
ラミネート加工部１５は、画像出力装置１４において印刷媒体上に印刷された出力物に対して、ラミネート加工を施す。ラミネート加工は、透明フィルムに熱を加えることで、出力媒体の表面に透明フィルムを転写する処理である。ラミネート加工部１５については後述する。
【００２７】
画像形成システム１においては、画像出力装置１４とラミネート加工部１５とで、透明材でコーティングされた状態の印刷物を得るコーティング処理としての光沢処理とマット処理とを選択的に行うことができる画像形成装置が構成されている。
【００２８】
受信装置１６は、電話回線またはインターネットに接続しており、ファクシミリ通信によって外部装置から画像データを受信する装置である。また、送信装置１７は、電話回線またはインターネットに接続しており、画像入力装置１１にて入力された画像データをファクシミリ通信によって外部装置へ送信する装置である。
【００２９】
記憶装置１８は、画像処理装置１２にて扱われる画像データを一旦保存するためのハードディスクである。
【００３０】
制御部１９は、ＣＰＵ（Central Processing Unit）あるいはＤＳＰ（Digital Signal Processor）等のプロセッサを含むコンピュータであり、画像形成システム１に備えられる各種ハードウェアを統括的に制御するものである。また、制御部１９は、画像形成システム１に備えられる各ハードウェア間のデータ転送を制御する機能も有する。
【００３１】
＜画像処理装置１２＞
次に、画像処理装置１２に含まれる各ブロックの処理について説明する。Ａ／Ｄ（アナログ・デジタル）変換部２１は、画像入力装置１１から送られてきたカラー画像信号（ＲＧＢアナログ信号）をデジタルの画像データ（ＲＧＢデジタル信号）に変換する。シェーディング補正部２２は、Ａ／Ｄ変換部２１から送られてきた画像データに対して、画像入力装置１１の照明系、結像系、撮像系で生じる各種の歪みを取り除く処理を施す。入力処理部２３は、シェーディング補正部２２より送られてくるＲＧＢの画像データのそれぞれに対してγ補正処理などの階調変換処理を施す。
【００３２】
圧縮部２４は、入力処理部２３から送られてくる画像データ（ＲＧＢ信号）を符号化する。これにより、画像データは符号化コードとなる。なお、上記符号化は、例えばＪＰＥＧ（Joint Photographic Experts Group）方式に基づいて行われる。符号化コードは、記憶装置１８に送信される。復号部２５は、記憶装置１８より読み出された符号化コードに対して復号化処理を施すことによって、上記符号化コードをＲＧＢの画像データに伸張する。
【００３３】
画像種別判定部２６は、ＲＧＢの画像データに基づき、画像の種別の判定を行う。画像種別判定部２６には、復号部２５より送信されるＲＧＢの画像データ（コピーモード；画像入力装置１１にて読み取られた原稿のＲＧＢの画像データ）およびＲＩＰ処理部１３より入力されてきたＲＧＢの画像データ（プリンタモード）が入力される。ここで、判定される画像の種別としては、文字原稿の画像、印画紙写真原稿の画像、印刷写真原稿の画像、文字と印刷写真とが混在した文字印刷写真原稿の画像等がある。
【００３４】
本実施形態では、画像種別判定部２６は、入力画像が写真を含む複数の画像種別のいずれであるかを判定し、写真のみからなる画像と判定した場合、ラミネート加工信号をラミネート加工部に送信する。また、画像種別判定部２６は、上記ＲＧＢの画像データに基づき、画像の原稿サイズを示す原稿サイズ信号を特定原稿サイズ判定部３２に送信する。その他、画像種別判定部２６は、上記ＲＧＢの画像データに基づき、画像入力装置１１にて読み取られた原稿がカラー原稿であるか白黒原稿であるのかの判別を行う処理である自動カラー判別処理（ＡＣＳ：Auto Color Selection）やブランク原稿であるか否か（無地の原稿であるか否か）の判定処理も行うこともできる。画像種別判定部２６の詳細については後述する。
【００３５】
領域分離処理部２７は、復号部２５あるいはＲＩＰ処理部１３より入力されるＲＧＢの画像データに基づき、画像の画素毎に、当該画素がどのような画像領域に分類されるのかを判別し、この判別結果を示す領域分離信号を生成する。ここで、領域分離処理部２７において判別される画像領域には、黒文字領域，色文字領域，網点領域、ベタ領域などがある。なお、領域分離処理は、画素毎に画像領域の判定を行う形態ではなく、複数の画素よりなるブロック毎に画像領域の判定が行われる形態であってもよい。生成した領域分離信号は、色補正／黒生成部３４、フィルタ処理部３５に送信される。
【００３６】
高濃度画像判定部２８、絹目写真判定部２９、高周波画像判定部３０、顔検出部３１、特定原稿サイズ判定部３２は、復号部２５あるいはＲＩＰ処理部１３より入力されるＲＧＢの画像データに基づき、画像データの画像が、予め定める条件を満たす場合、ラミネート加工部１５に対して、マット処理を行うように命じるマット調仕上げ信号を送信する。これら絹目写真判定部２９、高周波画像判定部３０、顔検出部３１、特定原稿サイズ判定部３２の詳細については後述する。
【００３７】
画質調整部３３は、復号部２５あるいはＲＩＰ処理部１３より入力されるＲＧＢの画像データに対して、下地の検出を行って下地除去補正を行う。さらに、画質調整部３３は、ユーザによって操作パネル（不図示）から入力される設定情報に基づいて、ＲＧＢのバランス（カラー調整、赤み青みといった全体のカラー調整）、明るさ、鮮やかさの調整を行う。
【００３８】
色補正／黒生成部３４は、フルカラーモードが選択されている場合、復号部２５あるいはＲＩＰ処理部１３より入力されるＲＧＢの画像データに対して、色補正処理および黒生成処理を行い、ＣＭＹＫの４色の画像データに変換する。色補正処理は、上記ＲＧＢの画像データをＣＭＹの画像データに変換すると共に、当該画像データに対して色再現性を高める処理を施す処理である。色補正処理は、入力値（ＲＧＢ）と出力値（ＣＭＹ）とを対応付けたＬＵＴ（ルックアップテーブル）を作成し、作成したＬＵＴから出力値をルックアップすることによって実現される。ここで用いるＬＵＴは、領域分離信号に応じて異なるものであっても良い。黒生成処理は、ＣＭＹの画像データから黒（Ｋ）の画像データを生成する黒生成を行う一方、元のＣＭＹの画像データから黒（Ｋ）の画像データを差し引いて新たなＣＭＹの画像データを生成する処理である。生成する黒（Ｋ）の量は、領域分離信号に応じて異なる値であっても良い。
【００３９】
フィルタ処理部３５は、色補正／黒生成部３４より出力されたＣＭＹＫの画像データに対し、各プレーン毎にデジタルフィルタによる空間フィルタ処理（強調処理、平滑化処理等）を行う。空間フィルタ処理は、領域分離信号に応じて異なるフィルタ係数を用いても良い。中間調生成部３６は、フィルタ処理部３５より出力されたＣＭＹＫの画像データに対し、誤差拡散法やディザ法を用いて、画像出力装置１４において画像を印刷するために必要な階調再現処理（中間調生成処理）を実行する。
【００４０】
ここで、上記した画像種別判定部２６、高濃度画像判定部２８、絹目写真判定部２９、高周波画像判定部３０、顔検出部３１、特定原稿サイズ判定部３２について詳述する。
【００４１】
（画像種別判定部２６）
画像種別判定部２６は、復号部２５あるいはＲＩＰ処理部１３より入力されるＲＧＢの画像データに基づき、該画像データの画像である入力画像が少なくとも写真を含む複数の画像種別のいずれであるかを判定し、写真と判定した場合、ラミネート加工信号をラミネート加工部に送信する。詳細には、本実施の形態では、文字を含まない写真のみからなる画像、つまり、印画紙写真原稿の画像あるいは印刷写真原稿の画像であると判定すると、ラミネート加工部１５に、ラミネート加工を行うように命じるラミネート加工信号を送信する。但し、写真のみからなる画像であっても、絹目写真を読み取った画像は、表面にある凹凸を読み取っているため、画像種別判定部２６にて写真を含む原稿であると判定することはできない。そのため、画像種別判定部２６は、入力画像が絹目写真を読み取った画像である場合は、ラミネート加工部１５に対してラミネート加工信号を送信することはない。
【００４２】
画像種別判定部２６における原稿種別の判別方法は、例えば、例えば、特許文献３に記載された方法を用いることができる。その場合の手順を(1)〜(7)に示す。
【００４３】
(1)注目画素を含むｎ画素×ｍ画素（例えば、７×１５）のブロックにおける最小濃度値および、最大濃度値を算出する。
【００４４】
(2)算出された最小濃度値及び最大濃度値を用いて最大濃度差を算出する。
【００４５】
(3)隣接する画素の濃度差の絶対値の総和である総和濃度繁雑度（例えば、主走査方向と副走査方向について算出した値の和）を算出する。
【００４６】
(4)算出された最大濃度差と最大濃度差閾値との比較及び算出された総和濃度繁雑度と総和濃度繁雑度閾値との比較を行う。最大濃度差＜最大濃度差閾値および総和濃度繁雑度＜総和濃度繁雑度閾値のとき、注目画素は下地・印画紙写真領域に属すると判定する。上記条件を充たさないとき、注目画素は文字・網点領域に属すると判定する。
【００４７】
(5)下地・印画紙写真領域に属すると判定された画素について、注目画素が、最大濃度差＜下地・印画紙写真判定閾値を充たすとき、下地画素であると判定し、上記条件を充たさないとき、印画紙写真（連続階調領域）画素であると判定する。
【００４８】
(6)文字・網点領域に属すると判定された画素について、注目画素が、総和濃度繁雑度＜最大濃度差に文字・網点判定閾値を掛けた値の条件を充たすとき、文字画素であると判定し、上記条件を充たさないとき、網点画素であると判定する。
【００４９】
(7)下地領域、印画紙写真領域、文字領域および網点領域に分類された画素数をカウントし、それぞれのカウント値と予め定められている下地領域、印画紙写真領域、網点領域及び文字領域に対する閾値と比較して原稿全体の種別を判定する。例えば、文字、網点、印画紙写真の順に検出精度が高いとすると、文字領域の比率が全画素数の３０％以上の場合には文字原稿、網点領域の比率が全画素数の２０％以上の場合には網点原稿（印刷写真原稿）、印画紙写真領域の比率が全画素数の１０％以上の場合には印画紙写真原稿であると判定する。また、文字領域の比率と網点領域の比率とが、それぞれ閾値以上であるとき、文字／網点原稿（文字印刷写真原稿）であると判定する。
【００５０】
上記(1)〜(7)の手順で判定することにより、画像種別判定部２６は、印画紙写真原稿または印刷写真原稿と判定された場合にのみ、ラミネート加工信号をラミネート加工部１５に送信する。この場合、写真だけで構成される原稿に対してのみ、ラミネート加工が行われ、文字印刷写真原稿と文字印画紙写真原稿の場合は、ラミネート加工は行われない。
【００５１】
また、コピーモードの場合、画像種別判定部２６は、縦横の画素数から原稿サイズ（例：Ａ４サイズ：２１０ ｍｍ × ２９７ｍｍ）を判定し、原稿サイズ信号を特定原稿サイズ判定部３２に送信する。原稿サイズは、例えば、コンタクトガラスの下やコンタクトガラスの周辺に配置されたフォトトランジスタなどの光電変換素子により、コンタクトガラスに置かれた、主走査方向、副走査方向の原稿サイズを検知する方法や、操作パネルより、ユーザにて選択された原稿サイズを制御部１９にて検知する方法などを用いることもできる。プリンタモードの場合は、ＲＩＰ処理部１３から画像種別判定部２６に入力されるＲＧＢの画像データの縦横の画素数から画像サイズを判定し、原稿サイズ信号を特定原稿サイズ判定部３２に送信する。
【００５２】
（高濃度画像判定部２８）
高濃度画像判定部２８は、復号部２５あるいはＲＩＰ処理部１３より入力されるＲＧＢの画像データに基づき、該画像データの画像である入力画像が暗い画像となる高濃度領域が画像全体の一定割合以上の面積を占める場合、入力画像を高濃度画像であると判定し、マット調仕上げ信号をラミネート加工部１５に送信する。
【００５３】
全体的に暗い高濃度画像を印刷して閲覧する場合、周辺の照明が映り込んで反射するため視認性が悪い。そこで、高濃度画像には、表面状態をマット調仕上げにすることで、照明の映り込みの反射が軽減され、視認性を向上させた印刷物を提供できる。高濃度画像の判定方法としては、例えば以下の方法を用いる。
【００５４】
高濃度画像判定部２８は、入力画像の各画素について、高濃度であるかどうかを判定し、高濃度であると判定された画素数が全画素数に対して一定以上の割合（例：７０％以上）を占める場合、入力画像を高濃度画像であると判定する。各画素が高濃度であるかどうか判定する方法としては、例えば、ＲＧＢ値が以下の条件をすべて満たす場合、高濃度であると判定する。
【００５５】
【数１】
2015157407.tif 000003
【００５６】
（絹目写真判定部２９）
絹目写真判定部２９は、復号部２５あるいはＲＩＰ処理部１３より入力されるＲＧＢの画像データに基づき、該画像データの画像である入力画像が、絹目写真をスキャンした画像であるかどうか判定し、絹目写真と判定した場合、ラミネート加工信号とマット調仕上げ信号とをラミネート加工部１５に送信する。絹目写真の場合、マット調仕上げにすることで、原稿の絹目写真と同様に表面に凹凸がある印刷物を再現することができるので、より元の原稿の特徴に近い印刷物を提供できる。絹目写真の判定方法としては、例えば以下の方法を用いる。
【００５７】
絹目加工された写真をスキャンすると、絹目加工による凹凸が周期的なパターンとなってスキャン画像に現れる。絹目写真の画像データの特徴となる周波数成分は、他の一般的な画像データでは、意図的に作成しない限りほとんど存在するものではなく、網点画像とも明らかに異なる。したがって、絹目加工による特定の周波数成分が大きい場合に、絹目加工された写真をスキャンしたものであると判定できる。画像データが周期的なパターンを持っているかどうかは、以下の方法を用いることができる。その場合の手順を(I)〜（V）に示す。
【００５８】
(I)画像データを、ｍ×ｍ（例：６４×６４）画素からなるｎ個（例：３００）のブロックに分割する。
【００５９】
(II)各ブロックの画素値に対して、以下の式１を用いてＤＦＴ（Discrete Fourier Transform：離散フーリエ変換）を施す。
【００６０】
【数２】
2015157407.tif 000004
【００６１】
式１において、ｘ、ｙは画像データ内の例えば左上を（０，０）とした場合の画素の位置座標であり、ｆＲ(ｘ,ｙ)はＲプレーンの画素値を表す。Ｇ、Ｂプレーンに対しても同様の計算を行い、ＦＧ(ｕ,ｖ)、ＦＢ(ｕ,ｖ)を求める。
【００６２】
(III)得られたＤＦＴ結果は複素数なので、その絶対値｜ＦＲ(ｕ,ｖ)｜、｜ＦＧ(ｕ,ｖ)｜、｜ＦＢ(ｕ,ｖ)｜を求める。
【００６３】
(IV) ｜ＦＲ(ｕ,ｖ)｜、｜ＦＧ(ｕ,ｖ)｜、｜ＦＢ(ｕ,ｖ)｜各ｎ個からなる合計３×ｎ個の値の総和|Ｆ(ｕ,ｖ)|を求める。
【００６４】
(V)|Ｆ(ｕ,ｖ)|が以下の式を満たすとき、特定の周波数成分が大きい画像、つまり、周期的なパターンを持っている画像であると判定する。|Ｆ(ｕ,ｖ)|が以下の式を満たすとき、画像データはｘ方向について周期ｕ１以上ｕ２以下、ｙ方向について周期ｖ１以上ｖ２以下を満たす範囲の周波数成分が大きいと判断できる。よって、特定の周波数成分が大きい画像、つまり、周期的なパターンを持っている画像であると判定する。
【００６５】
【数３】
2015157407.tif 000005
【００６６】
ただし、式２において、ｍ＞ｕ２＞ｕ１（例：ｕ２＝１０、ｕ１＝５）、ｍ＞ｖ２＞ｖ１（例：ｖ２＝１０、ｖ１＝５）を満たすものとする。
【００６７】
（高周波画像判定部３０）
高周波画像判定部３０は、復号部２５あるいはＲＩＰ処理部１３より入力されるＲＧＢの画像データに基づき、該画像データの画像である入力画像が、高周波成分を多く含む画像であるかどうか判定し、高周波成分を多く含む画像（以下、高周波画像）であると判定した場合、マット調仕上げ信号をラミネート加工部１５に送信する。
【００６８】
高周波画像は、細かいディテールが多く存在する画像なので、印刷出力した後、細部を確認することが多い。そのため、表面状態をマット調仕上げにすることで、周辺の照明の映り込みを軽減し、細部を確認しやすくできる。
【００６９】
高周波成分を多く含むかどうかの判定方法としては、例えば上記の絹目写真判定部で用いた式２を用いて、以下の条件を満たす場合、画像データはｘ方向について周期ｕ３以上、ｙ方向について周期ｖ３以上を満たす範囲の周波数成分が大きいと判断できる。よって、細かい周期の周波数成分が大きい画像、つまり、高周波成分を多く含む画像であると判定する。
【００７０】
【数４】
2015157407.tif 000006
【００７１】
ただし、上記式３において、ｍ＞ｕ３（例：ｕ３＝１００）、ｍ＞ｖ３（例：ｖ３＝１００）を満たすものとする。
【００７２】
（顔検出部３１）
顔検出部３１は、復号部２５あるいはＲＩＰ処理部１３より入力されるＲＧＢの画像データに基づき、該画像データの画像である入力画像に女性の顔が含まれているかどうか判定し、女性の顔が含まれる画像であると判定した場合、マット調仕上げ信号をラミネート加工部１５に送信する。
【００７３】
顔が映っている写真を光沢のある仕上がりにすると、皮脂が出ているように見えるため、特に女性の場合、光沢のある仕上がりは敬遠される傾向がある。そこで、女性の顔が映っている場合は、フィルム状シートを表面状態がマット調になるように転写することで、皮脂が出ているような印象を与えない写真を提供する。
【００７４】
画像に女性の顔が含まれているかどうかの判定方法としては、例えば、特許文献４で提案されている画像からの顔検出の方法と、特許文献５で提案されている顔画像の性別判定方法を用いることができる。
【００７５】
まず、特許文献４で提案されている、下記の方法により、目と口の候補を抽出し、顔の認識を行う。その場合の手順を(i)〜（vi）に示す。
【００７６】
(i)画像上の上から下の方向に、入力画像信号に対して、一次微分を行い、一次微分信号を２値化する。また、入力画像信号に対して、二次微分を行い、二次微分信号を２値化する。
【００７７】
(ii)上記２値化された一次微分信号、二次微分信号の論理和を求め、目・口第一候補信号とする。
【００７８】
(iii)上記目・口第一候補信号において、連結領域を成している各領域に対して面積、重心位置、領域の縦・横の長さ、各領域内の輝度の平均・分散を領域特徴量信号として出力する。
【００７９】
(iv)上記領域特徴量信号に基づいて、目らしい領域、口らしい領域を判定して、それぞれ、目第二候補信号、口第二候補信号を出力する。
【００８０】
(v)目第二候補信号から目候補領域を二つ、口第二候補信号から口候補領域を一つ、全ての領域が重複しないように選択し、各領域の重心位置より顔来しい配置をしている候補の組みを全ての組み合わせについて調べ、顔候補信号として出力する。
【００８１】
(vi)上記顔候補信号中の左右の目の候補領域の重心位置を基準に、顔の存在する領域をアフィン変換を用いて切り出し、顔候補画像信号とする。顔候補画像信号を顔標準パターンと比較することにより顔であるか否かの判定を行う。
【００８２】
次に、特許文献５に記載されている顔画像の性別判定方法を用いる。その場合の手順を(A)〜（F）に示す。
【００８３】
(A)事前に下記の学習処理を行う。
(A-1)髪と輪郭を含む男性の顔の部分画像を含む所定枚数（例えば、５０００枚）の男性顔画像データと人の顔の部分画像を含まない所定枚数の非画像データを用いて男性特有のＨａａｒ特徴による特徴量を抽出し、Ａｄａｂｏｏｓｔ処理等を施すことにより、男性の顔のオブジェクトを検出して識別するための男性顔検出用識別器を作成する。
(A-2)髪と輪郭を含む女性の顔の部分画像を含む所定枚数（例えば、５０００枚）の女性顔画像データと人の顔の部分画像を含まない所定枚数の非画像データを用いて女性特有のＨａａｒ特徴による特徴量を抽出し、Ａｄａｂｏｏｓｔ処理等を施すことにより、女性の顔のオブジェクトを検出して識別するための女性顔検出用識別器を作成する。
(A-3)所定枚数（例えば、５０００枚）の男性顔画像データと所定枚数（例えば、５０００枚）の女性顔画像データを用いて、検出されたオブジェクトが男性の顔であるかあるいは女性の顔であるかを判断するためのＨａａｒ特徴による特徴量を抽出し、Ａｄａｂｏｏｓｔ処理等を施すことにより、検出されたオブジェクトが男性あるいは女性の顔であることを識別するための男女識別器を作成する。
【００８４】
(B)入力画像からサイズの異なる複数の部分画像を切り出し、複数の部分画像についてＨａａr特徴量を計算する。
【００８５】
(C)部分画像において男性顔検出用識別器に記憶されているすべてのＨａａｒ特徴量の総和が閾値ｔより大きい場合、男性顔が識別できたと判定する。部分画像において女性顔検出用識別器に記憶されているすべてのＨａａｒ特徴量の総和が閾値ｔより大きい場合、女性が識別できたと判定する。男性顔も女性顔も識別された場合は、性別が不明な顔のオブジェクトが検出されたと判断する。男性顔でも女性顔でもないと識別された場合は、非顔であると判断する。
【００８６】
(D)上記（C）の処理を複数に部分画像に対して行い、さらに、部分画像のサイズを変更して行う。
【００８７】
(E)検出された候補をクラスタリングし、クラスタリングされた顔候補に対して、特徴量（色、ニ値画像、目の部分のテンプレートの全て、あるいは、一つ）による絞り込みチェックにより、顔判定を行う。
【００８８】
(F)性別が不明な顔のオブジェクトが検出された場合は、候補画像を初期化し、顔候補のＨａａr特徴量を計算し、男女識別器を用いて部分画像の識別を行う。
【００８９】
（特定原稿サイズ判定部３２）
特定原稿サイズ判定部３２は、画像種別判定部２６より送信されてきた原稿サイズ信号に基づき、復号部２５あるいはＲＩＰ処理部１３より入力されるＲＧＢの画像データの画像である入力画像が、特定サイズの原稿を読み取った画像であると判定した場合、マット調仕上げ信号をラミネート加工部１５に送信する。
【００９０】
名刺をコピーする際、ラミネート加工することで保存性が向上し、経年劣化により破れたり印刷された情報が視認できなくなることを防止できる。しかし、光沢のある仕上がりにすると周囲の照明が反射して見にくい。よって、絹目調の仕上がりにすることで保存性と見やすさを両立させる。
【００９１】
具体的には、画像種別判定部２６から送信される原稿サイズ信号が、例えば名刺サイズ（９１×５５ｍｍ）±５ｍｍである場合、特定サイズの原稿であると判定する。
【００９２】
＜ラミネート加工部１５＞
ラミネート加工部１５は、画像出力装置において印刷媒体上に印刷された出力物に対して、ラミネート加工を施す。ラミネート加工部１５は、例えば特許文献６に記載されている以下のような構成となっている。
【００９３】
図２にラミネート加工部１５における処理機構を示す。ラミネート処理機構は、ラミネートフィルム５４を供給する供給リール５５と、ラミネートフィルム５４を巻き取る巻き取りリール５６と、ラミネートフィルム５４を転写位置にガイドするガイドローラ５７，５８と、ガイドローラ５７，５８の間にラミネートフィルム５４の転写位置を形成するサーマルヘッド５３と、印刷媒体５２と、印刷媒体５２を回転によりサーマルヘッド５３に対応するラミネートフィルム転写位置に搬送するプラテン５１とを有する。
【００９４】
ラミネートフィルム５４には、薄膜状の樹脂が塗布されており、サーマルヘッド５３で加熱することにより樹脂層（透明材）を印刷媒体５２に転写する。サーマルヘッド５３はラミネートフィルムを加熱する発熱素子をマトリックス状に配列したものであり、印刷媒体５２の幅方向全体にわたってラミネートフィルム５４を介して印刷媒体５２に接している。印刷媒体５２が矢印方向に搬送されると印刷媒体５２の全面にわたって樹脂が転写され、ラミネート加工が施される。ラミネート加工後、印刷媒体５２はプラテン５１から剥離される。
【００９５】
サーマルヘッド５３の各発熱素子に一様な電圧を加えると、樹脂は一様な厚みで印刷媒体に転写されるため、ラミネート加工後の表面状態は均一で光沢のある仕上がりになる（光沢処理）。また、加える電圧を発熱素子単位で変更すると、温度が高い発熱素子（例：２００℃）に接しているラミネートフィルムの樹脂は厚く転写され、温度の低い発熱素子（例：１５０℃）に接しているラミネートフィルムの樹脂は薄く転写されるため、ラミネート加工後の表面状態は凹凸のあるマット調の仕上がりになる（マット処理）。
【００９６】
図３の（ａ）は、上記ラミネート加工部におけるマット処理した印刷媒体表面の加工状態を模式的に示す図であり、図３（ｂ）はマット処理にてマット調の凹凸パターンを形成する際に、サーマルヘッドの各発熱素子へ加える電圧を模式的に示した図である。図３の（ａ）（ｂ）において、白黒が凹凸に対応している。図内の矢印が、主走査方向を示しており、主走査方向に平行に２ライン分の発熱素子が設けられている。黒で示された発熱素子に加える電圧を高く設定（例：３０Ｖ）、白で示された発熱素子に加える電圧を低く設定（例：１５Ｖ）することで、転写される樹脂の厚みに凹凸を形成する。印刷媒体は副走査方向に搬送されるため、上記２ライン分の発熱素子を制御することで、印刷媒体全体にマット調のラミネート加工を施すことができる。
【００９７】
＜画像形成システム１における印刷処理の説明＞
次に、図４を用いて、画像形成システム１における印刷処理を説明する。図４は、画像形成システム１における印刷処理の流れを示すフローチャートである。
【００９８】
図４に示すように、画像形成システム１における画像処理装置１２では、復号部２５あるいはＲＩＰ処理部１３より入力されるＲＧＢの画像データが入力すると（Ｓ１）、画像種別判定部２６が、入力画像の画像種別判定を行う（Ｓ２）。本実施形態では、画像種別判定部２６は、入力画像が、印画紙写真原稿の画像または印刷写真原稿の画像である場合のみ写真画像であると判定する。画像種別判定部２６は、写真画像であると判定すると（Ｓ３でＹＥＳ）、Ｓ４に進んでラミネート加工指示を出力し、写真画像でないと判定すると（Ｓ３でＮＯ）、処理をＳ１７の絹目写真判定に進める。
【００９９】
Ｓ４で、ラミネート加工指示を出力すると、次に、画像処理装置１２の高濃度画像判定部２８は、前記画像データに基づいて入力画像が高濃度画像であるか否かの判定を行う（Ｓ５）。高濃度画像判定部２８は、高濃度画像であると判定すると（Ｓ６でＹＥＳ）、Ｓ１４に進んでマット処理指示を出力し、高濃度画像でないと判定すると（Ｓ６でＮＯ）、処理をＳ７の高周波画像判定に進める。
【０１００】
Ｓ７では、高周波画像判定部３０が、前記画像データに基づいて入力画像が高周波画像であるか否かの判定を行う。高周波画像判定部３０は、高周波画像であると判定すると（Ｓ８でＹＥＳ）、マット処理指示を出力し（Ｓ１４）、高周波画像でないと判定すると（Ｓ８でＮＯ）、処理をＳ９の顔判定に進める。
【０１０１】
Ｓ９では、顔検出部３１が、前記画像データに基づいて入力画像に女性の顔が含まれるか否かの判定を行う。顔検出部３１は、女性の顔が含まれると判定すると（Ｓ１０でＹＥＳ）、マット処理指示を出力し（Ｓ１４）、女性の顔が含まれないと判定すると（Ｓ１０でＮＯ）、光沢処理指示を出力する（Ｓ１１）。なお、ここでは、光沢処理指示を出力する構成としたが、光沢処理をデフォルトとし、マット処置指示が出力されないラミネート加工では光沢処理を行う構成としてもよい。
【０１０２】
Ｓ１１にて光沢処理指示が出力されると、画像出力装置１４が印刷出力を実施し（Ｓ１２）、ラミネート加工部１５が、光沢処理を実施し、光沢感のある印刷物が出力される。一方、Ｓ１４にてマット処理指示が出力されると、画像出力装置１４が印刷出力を実施し（Ｓ１５）、ラミネート加工部１５が、マット処理を実施し、マット感のある印刷物が出力される。
【０１０３】
一方、Ｓ４で写真画像でないと判定されて（Ｓ３でＮＯ）進んだＳ１７では、絹目写真判定部２９が、前記画像データに基づいて入力画像が絹目写真の画像であるか否かの判定を行う。絹目写真判定部２９は、絹目画像であると判定すると（Ｓ１８でＹＥＳ）、ラミネート加工を指示すると共に（Ｓ１９）、前述したＳ１４に進んでマット処理指示を出力する。これにより、マット処理がなされる。一方、絹目写真判定部２９は、絹目画像でないと判定すると（Ｓ１８でＮＯ）、処理をＳ２０の特定サイズ判定に進める。
【０１０４】
Ｓ２０では、特定原稿サイズ判定部３２が、前記画像データに画像種別判定部２６からの原稿サイズ信号に基づいて入力画像の画像サイズが名刺サイズなどの特定サイズであるか否かの判定を行う。特定原稿サイズ判定部３２は、特定サイズであると判定すると（Ｓ２１でＹＥＳ）、前述したＳ１４に進んでマット処理指示を出力する。一方、特定原稿サイズ判定部３２は、特定サイズでないと判定すると（Ｓ２１でＮＯ）、画像出力装置１４が印刷出力を実施し（Ｓ２２）、印刷物はラミネート加工部１５を利用することなく出力される。
【０１０５】
なお、本実施形態では、透明材でコーティングされた状態の印刷物を得るコーティング処理としての光沢処理とマット処理とを選択的に行うことができる画像形成装置として、電子写真方式、インクジェット方式、あるいは昇華型のカラープリンタよりなる画像出力装置１４と、ラミネート加工部１５とで構成されるものを例示した。しかしながら、ラミネート加工部１５を備えることなく、インクジェット方式を用いたカラープリンタに適用して、光沢処理が選択されると印刷媒体として光沢紙を給紙し、マット処理が選択されるとマット紙を給紙する構成に適用することもできる。
【０１０６】
〔ソフトウェアによる実現例〕
画像処理装置１２の各ブロックは、集積回路（ＩＣチップ）等に形成された論理回路（ハードウェア）によって実現してもよいし、ＣＰＵ（Central Processing Unit）を用いてソフトウェアによって実現してもよい。
【０１０７】
後者の場合、画像処理装置１２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１０８】
〔まとめ〕
本発明の態様１に係る画像処理装置は、透明材でコーティングされた状態の印刷物を得るコーティング処理としての光沢処理とマット処理とを選択的に行うことができる画像形成装置に対して指示信号を出力する画像処理装置であって、入力画像データの画像を印刷媒体に形成して出力するにあたって、前記コーティング処理を行う場合に、予め定められた条件を満たすと判断するとマット処理を選択し、予め定められた条件を満たさないと判断すると光沢処理を選択し、何れか選択した処理を行うよう命じる指示信号を出力する処理決定部（高濃度画像判定部２８、絹目写真判定部２９、高周波画像判定部３０、顔検出部３１、特定原稿サイズ判定部３２）を有することを特徴としている。
【０１０９】
上記構成によれば、処理決定部が、コーティング処理を行うにあたり、予め定められた条件を満たすと判断すると、マット処理が適した印刷物であるとしてマット処理を選択し、予め定められた条件を満たさない場合は、光沢処理が適しているとして光沢処理を選択し、選択した処理を行うよう命じる指示信号を画像形成装置に出力する。
【０１１０】
したがって、ユーザが１枚ずつ画像の特徴を確認して、マット処理か光沢処理かを選択するといった作業を行うことなく、光沢処理あるいはマット処理の何れか画像の特徴に応じた方の処理が施された印刷物を簡単に得ることができる。
【０１１１】
本発明の態様２に係る画像処理装置は、上記態様１において、前記予め定められた条件は、入力画像データの画像の特徴に応じて複数定められており、前記処理決定部は、複数のうちの少なくとも１つを満たすと判断すると、マット処理を選択する構成であってもよい。
【０１１２】
本発明の態様３に係る画像処理装置は、上記態様２において、前記処理決定部は、前記入力画像データの画像が、暗い画像となる高濃度領域が画像全体の一定以上の割合を占める高濃度画像であるか否かを判定する高濃度画像判定部を備え、前記処理決定部は、高濃度画像判定部において、前記入力画像データの画像が高濃度画像であると判定された場合に、複数のうちの少なくとも１つの条件を満たすと判断する構成であってもよい。
【０１１３】
上記構成によれば、高濃度画像判定部が、入力画像データの画像を高濃度画像であるか否かを判定し、高濃度画像であると判定されると、前記処理決定部は、複数ある条件のうちの少なくとも１つ件を満たすと判断して、マット処理を選択する。
【０１１４】
全体的に暗い高濃度画像を印刷して閲覧する場合、周辺の照明が映り込んで反射するため視認性が悪いが、上記のように高濃度画像に対してマット処理を選択することで、照明の映り込みの反射が軽減され、視認性を向上させた印刷物を提供できる。
【０１１５】
発明の態様４に係る画像処理装置は、上記態様２又は３において、前記処理決定部は、前記入力画像データの画像が高周波成分を一定以上含む高周波画像であるか否かを判定する高周波画像判定部を備え、前記処理決定部は、前記高周波画像判定部において、前記入力画像データの画像が高周波画像であると判定された場合に、複数ある条件のうちの少なくとも１つを満たすと判断する構成であってもよい。
【０１１６】
上記構成によれば、高周波画像判定部が、高周波画像であるか否かを判定し、高周波画像であると判定されると、処理決定部は、複数ある条件のうちの少なくとも１つ件を満たすと判断して、マット処理を選択する。
【０１１７】
高周波画像は、細かいディテールが多く存在する画像であるため、印刷出力した後、細部を確認することが多い。そのため、上記のように、高周波画像に対してマット処理を選択することで、周辺の照明の映り込みを軽減し、細部を確認しやすくできる。
【０１１８】
発明の態様５に係る画像処理装置は、上記態様２から４の何れかにおいて、前記処理決定部は、前記入力画像データの画像が女性の顔を含むか否かを判定する顔検出部を備え、前記処理決定部は、前記顔検出部において、前記入力画像データの画像が女性の顔を含むと判定された場合に、複数ある条件のうちの少なくとも１つを満たすと判断する構成であってもよい。
【０１１９】
上記構成によれば、顔検出部が、女性の顔を含むか否かを判定し、含むと判定されると、処理決定部は、複数ある条件のうちの少なくとも１つ件を満たすと判断して、マット処理を選択する。
【０１２０】
顔が映っている写真を光沢のある仕上がりにすると、皮脂が出ているように見えるため、特に女性の場合、光沢のある仕上がりは敬遠される傾向がある。そのため、上記のように、女性の顔が映っている場合は、マット処理を選択することで、皮脂が出ているような印象を与えない印刷物を提供できる。
【０１２１】
発明の態様６に係る画像処理装置は、上記態様２から５の何れかにおいて、前記処理決定部は、前記入力画像データの画像が絹目加工された写真の画像であるか否かを判定する絹目写真判定部を備え、前記処理決定部は、前記絹目写真判定部において、前記入力画像データの画像が絹目加工された写真の画像であると判定された場合に、複数のうちの少なくとも１つを満たすと判断する構成であってもよい。
【０１２２】
上記構成によれば、絹目写真判定部が、前記入力画像データの画像が絹目加工された写真の画像であるか否かを判定し、絹目加工された写真の画像であると判定されると、処理決定部は、複数ある条件のうちの少なくとも１つ件を満たすと判断して、マット処理を選択する。
【０１２３】
絹目写真の場合、マット調仕上げにすることで、原稿の絹目写真と同様に表面に凹凸がある印刷物を再現することができる。そのため、上記のように、絹目写真の画像である場合は、マット処理を選択することで、オリジナルの原稿に近い印刷物を提供できる。
【０１２４】
発明の態様７に係る画像処理装置は、上記態様１又は２において、前記予め定められた条件は、入力画像データの画像のサイズに応じて定められており、前記処理決定部は、前記入力画像データの画像が予め定められた特定サイズの画像であるか否かを判定するサイズ判定部を備え、前記処理決定部は、前記サイズ判定部において、前記入力画像データの画像が特定サイズの画像であると判定された場合に、マット処理を選択する構成であってもよい。
【０１２５】
上記構成によれば、サイズ判定部が、前記入力画像データの画像が予め定められた特定サイズの画像であるか否かを判定し、特定サイズの画像であると判定されると、処理決定部は、複数ある条件のうちの少なくとも１つ件を満たすと判断して、マット処理を選択する。
【０１２６】
名刺をコピーする際、コーティング処理を施すことで保存性が向上し、経年劣化により破れたり印刷された情報が視認できなくなることを防止できる。しかし、光沢のある仕上がりにすると周囲の照明が反射して見にくい。上記のように、マット処理を選択することで、保存性と見やすさが両立された印刷物を提供できる。
【０１２７】
発明の態様８に係る画像処理装置は、上記態様１，２，３，４、５又は７において、前記入力画像データの画像の種別を判定する画像種別判定部を備え、前記処理決定部は、前記画像種別判定部において、前記入力画像データの画像が写真の画像を含む画像であると判定された場合に、コーティング処理を行うことを決定し、コーティング処理を行うよう指示する指示信号を出力する構成であってもよい。
【０１２８】
上記構成によれば、画像種別判定部が、前記入力画像データの画像が写真を含む画像であるか否かを判定し、含む画像であると判定されると、コーティング処理を行うことが決定される。
【０１２９】
これにより、コーティング処理を行うか否かまでもが、自動に設定できるようになり、より一層便利な構成とできる。
【０１３０】
発明の態様９に係る画像形成システムは、上記態様１から８の何れかの画像処理装置と、印刷媒体が透明材でコーティングされた状態の印刷物を得るコーティング処理としての光沢処理とマット処理とを選択的に行うことができる画像形成装置とを含む構成であってもよい。
【０１３１】
既に説明した画像処理装置と同様に、上記画像形成装置においても、ユーザが１枚ずつ画像の特徴を確認して、マット処理か光沢処理かを選択するといった作業を行うことなく、光沢処理あるいはマット処理の何れか画像の特徴に応じた方の処理が施された印刷物を簡単に得ることができる。
【０１３２】
本発明の各態様に係る画像処理装置は、コンピュータによって実現してもよく、この場合には、コンピュータを上記画像処理装置が備える各手段として動作させることにより上記画像処理装置をコンピュータにて実現させる画像処理装置のプログラム、およびそれを記録したコンピュータ読み取り可能な記録媒体も、本発明の範疇に入る。
【０１３３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１３４】
１１  画像入力装置
１２  画像処理装置
１３  ＲＩＰ処理部
１４  画像出力装置
１５  ラミネート加工部
１６  受信装置
１７  送信装置
１８  記憶装置
１９  制御部
２１  Ａ／Ｄ変換部
２２  シェーディング補正部
２３  入力処理部
２４  圧縮部
２５  復号部
２６  画像種別判定部
２７  領域分離処理部
２８  高濃度画像判定部
２９  絹目写真判定部
３０  高周波画像判定部
３１  顔検出部
３２  特定原稿サイズ判定部
３３  画質調整部
３４  色補正／黒生成部
３５  フィルタ処理部
３６  中間調生成部
【図１】
2015157407.tif 000007
【図２】
2015157407.tif 000008
【図３】
2015157407.tif 000009
【図４】
2015157407.tif 000010